(57)【要約】【課題】特に長尺物の記録用紙が搬送ロールに詰まった場合に、少ない操作量で紙詰まりを起こした記録用紙を除去することができる給紙装置を得る。【解決手段】記録用紙が詰まった場合には、先ず、ハウジングの前面に設けられたメンテナンスドアを開放し、ノブ５０を回す。ノブ５０を回すことで、ベルトプーリー５２を介して独立ベルト５４が回転する。独立ベルト５４が回転することで、第二駆動ロール２６Ａは、記録用紙１８を搬送方向と逆方向の逆搬送方向に排出し、第一駆動ロール２８Ａは、記録用紙１８を搬送方向に排出する。これにより、詰まった記録用紙は、第一搬送ロール対２８と第二搬送ロール対２６の間に排出される。【選択図】図４
2007055780.tif 000002
【特許請求の範囲】
【請求項１】
記録媒体を挟持搬送する第一搬送ロール対と、
前記第一搬送ロール対の搬送方向の下流側に設けられ前記第一搬送ロール対から送られた前記記録媒体を挟持搬送する第二搬送ロール対と、
を備える搬送装置において、
前記第二搬送ロール対を回転させる駆動手段と、
前記駆動手段によって前記第二搬送ロール対を逆転させ、前記記録媒体を第一搬送ロール対と前記第二搬送ロール対の間に排出する制御手段と、
を有する搬送装置。
【請求項２】
前記駆動手段とは別に手動で前記第二搬送ロール対を逆転させるジャミング処理手段を有することを特徴とする請求項１記載の搬送装置。
【請求項３】
前記ジャミング処理手段は、手動で回動するノブと、ノブの回転力で前記第二搬送ロール対を逆転させ、前記第一搬送ロール対を搬送方向に回転させる力に変換する回転力伝達手段とで構成されていることを特徴とする請求項２に記載の搬送装置。
【請求項４】
請求項１乃至３の何れか１項に記載された搬送装置を具備することを特徴とする画像形成装置。
【発明の詳細な説明】
【技術分野】
【０００１】
本発明は、画像形成装置に適用される搬送装置に関する。
【背景技術】
【０００２】
画像形成装置には、紙詰まりを起こした転送紙（記録媒体）を除去することができる紙詰まり除去機構が設けられている。（特許文献１）
この紙詰まり除去機構が設けられた搬送装置は、給紙カセットに収納された転送紙（記録媒体）を給紙ロール群によって搬送方向下流へ送る。搬送方向下流に送られた転送紙は、第１搬送ロール対により下流に送られ、さらに第２搬送ロール対によりガイド板の間を通りレジストロール対に送られる。
【０００３】
ここで、第２搬送ロール対とその下流に設けられたレジストロール対との間に転送紙が詰まった場合には、紙詰まり除去用に設けられたノブを回すことによりレジストロール対と第２搬送ロール対とが同時に転送紙を搬送方向下流へ送る方向に回転する。これにより、詰まった転送紙は、搬送方向下流へ送られて除去される。ノブを回転させることにより第２搬送ロール対とレジストロール対とが同時に同一方向に回転するため、紙詰まり除去処理が簡単に出来る。
【特許文献１】特開平１１−７９４６７公報
【発明の開示】
【発明が解決しようとする課題】
【０００４】
しかしながら、この紙詰まり除去機構によれば、紙詰まり除去処理時にノブを回しても、ロール対は用紙搬送方向にしか回転しない。このため、用紙搬方向に長尺物の記録媒体の場合には、ノブを沢山回して、用紙を全て搬送方向に送って記録媒体を除去しなければならない。
【０００５】
本発明は、上記事実を考慮し、特に長尺物の記録媒体が搬送ロール対の間に詰まった場合に、少ない操作量で紙詰まりを起こした記録媒体を除去することができる搬送装置を提供することが目的である。
【課題を解決するための手段】
【０００６】
本発明の請求項１に係る搬送装置は、記録媒体を挟持搬送する第一搬送ロール対と、前記第一搬送ロール対の搬送方向の下流側に設けられ前記第一搬送ロール対から送られた前記記録媒体を挟持搬送する第二搬送ロール対と、を備える搬送装置において、前記第二搬送ロール対を回転させる駆動手段と、前記駆動手段によって前記第二搬送ロール対を逆転させ、前記記録媒体を第一搬送ロール対と前記第二搬送ロール対の間に排出する制御手段と、を有することを特徴とする。
【０００７】
上記構成の搬送装置によれば、記録媒体は第一搬送ロール対及び第二搬送ロール対によって搬送方向に搬送される。
【０００８】
ここで、記録媒体が第二搬送ロール対に詰まった場合には、第二搬送ロール対は、駆動手段によって逆転させられる。これにより、紙詰まりを起こした記録媒体が第一搬送ロール対と第二搬送ロール対の間に排出される。
【０００９】
このため、長尺物の記録媒体の先端が第二搬送ロール対に詰まった場合には、第二搬送ロール対を搬送方向に回転させて記録媒体を全て搬送方向に排出させることで記録媒体を除去する方法と比較すると、操作量は少ない。
【００１０】
本発明の請求項２に係る搬送装置は、請求項１記載において、前記駆動手段とは別に手動で前記第二搬送ロール対を逆転させるジャミング処理手段を有することを特徴とする。
【００１１】
上記構成の搬送装置によれば第一搬送ロール対を逆転させる手段は、第二搬送ロール対を駆動させる駆動手段とは別の手動のジャミング処理手段である。このジャミング処理手段により、第二搬送ローラ対を逆転させ紙詰まりを起こした記録媒体を第一搬送ロール対と第二搬送ロール対の間に排出する。
【００１２】
このため、駆動手段を使用することなく手動により紙詰まりを起こした記録媒体が確実に排出される。
【００１３】
本発明の請求項３に係る搬送装置は、請求項２記載において、前記ジャミング処理手段は、手動で回動するノブと、ノブの回転力で前記第二搬送ロール対を逆転させ、前記第一搬送ロール対を搬送方向に回転させる力に変換する回転力伝達手段とで構成されていることを特徴とする。
【００１４】
上記構成の搬送装置によれば、第一搬送ロール対と第二搬送ロール対の間に記録媒体が詰まった場合には、ノブを回すことでノブの回転力は、回転力伝達手段によって第一搬送ロール対を搬送方向に回転させ、第二搬送ロール対を逆転させる。これにより、記録媒体の後端は搬送方向に送られ、前端は搬送方向と逆方向へ送られるため、紙詰まりを起こした記録媒体が第一搬送ロール対と第二搬送ロール対の間に排出される。
【００１５】
このため、第一搬送ロール対と第二搬送ロール対の間に詰まった記録媒体は、少ない操作量で確実に第一搬送ロール対と第二搬送ロール対の間に排出される。
【００１６】
本発明の請求項４に係る画像形成装置は、請求項１乃至３の何れか１項に記載された搬送装置を具備することを特徴とする。
【００１７】
上記構成の画像形成装置によれば、紙詰まりを起こした記録媒体が第一搬送ロール対と第二搬送ロール対の間に排出される。
【００１８】
このため、第一搬送ロール対と第二搬送ロール対の間に詰まった記録媒体は、少ない操作量で確実に第一搬送ロール対と第二搬送ロール対の間に排出される。
【発明の効果】
【００１９】
本発明の搬送装置によれば、特に長尺物の記録媒体が搬送ロールに詰まった場合に、少ない操作量で紙詰まりを起こした記録媒体を除去することができる。
【発明を実施するための最良の形態】
【００２０】
本発明の搬送装置１１が採用された画像形成装置１０の第１実施形態を図１〜２に従って説明する。
【００２１】
図２に示されるように、この画像形成装置１０は筐体であるハウジング１２を備え、このハウジング１２の内部の下方には、複数の着脱自在な用紙カセット１４が装填されている。これらの用紙カセット１４の上方には、半円状のフィードロール１６が配置され、フィードロール１６が回転運動することによって、最上部の記録媒体としての記録用紙１８が、用紙搬送経路２０に沿って搬送方向（矢印Ａ方向）へ一枚ずつ送り出される構成となっている。
【００２２】
搬送装置１１には、複数の搬送ロール対２４、第一搬送ロール対２８、及び第二搬送ロール対２６が設けられている。複数の搬送ロール対２４は、用紙搬送経路２０にそって配置され、記録用紙１８を感光ドラム２２へ搬送する。これらの搬送ロール対２４によって搬送された記録用紙１８は、第一搬送ロール対２８によって挟持搬送され、さらに、第一搬送ロール対２８の搬送方向の下流側に設けられた第二搬送ロール対２６によって感光ドラム２２へ挟持搬送される。
【００２３】
また、画像形成時に第一搬送ロール対２８と第二搬送ロール対２６を回転させて記録用紙１８を搬送方向に搬送する駆動手段としてのモータ３０（図１参照）が、第一搬送ロール対２８及び第二搬送ロール対２６と駆動ベルト３２（図１参照）を介して連結配置されている。
【００２４】
さらに、感光ドラム２２を所定の電位に帯電する図示しない帯電器と、画像データに基づき感光ドラム２２上に静電潜像を形成する図示しない露光器とが、感光ドラム２２に隣接配置されている。
【００２５】
また、感光ドラム２２上の静電潜像をトナー像として可視化する図示しない現像器が感光ドラム２２に沿って配置され、感光ドラム２２上のトナー像を記録用紙１８に転写する転写ベルト３６が感光ドラム２２の下方に対向配置されている。
【００２６】
さらに、感光ドラム２２の搬送方向下流には、加圧ロール３８Ｂと加熱ロール３８Ａとで構成される定着装置３８が配置されている。記録用紙１８に転写されたトナー像は、加圧ロール３８Ｂと加熱ロール３８Ａとで挟持搬送されて熱定着される構成となっている。
【００２７】
また、定着装置３８の搬送方向下流には、排出ロール対４２が設けられ、この排出ロール対４２によって記録用紙１８はハウジング１２の側面に配置される排出トレイ４４へ排出される。
【００２８】
上記構成による画像形成装置１０では、次のようにして画像が形成される。
【００２９】
まず、電圧が印加された図示しない帯電器は、感光ドラム２２の表面を予定の電位で一様にマイナス帯電する。
【００３０】
続いて、帯電された感光ドラム２２上の画像部分が予定の露光部電位になるように図示しない露光器が画像データに基づき感光ドラム２２の上に静電潜像を形成する。
【００３１】
すなわち、図示しない制御装置から供給されるビデオデータに基づき、露光器をオン・オフすることによって画像に対応した静電潜像が感光ドラム２２上に形成される。さらに、この静電潜像は、図示しない現像器から供給されるトナーによってトナー像として可視化される。
【００３２】
そこで、用紙カセット１４から、フィードロール１６によって搬送経路２０に送り出された記録用紙１８が、複数の搬送ロール対２４、第一搬送ロール対２８、及び第二搬送ロール対２６に挟持搬送されて感光ドラム２２と転写ベルト３６との間を通りトナー像が用紙に転写される。この転写されたトナー像は、定着装置３８に備えられた加熱ロール３８Ａと加圧ロール３８Ｂの間を通過することで記録用紙１８に定着される。
【００３３】
さらに、記録用紙１８は排出ロール対４２によってハウジング１２の側面に設けられた排出トレイ４４に排出される。
【００３４】
次に、第一搬送ロール対２８、第二搬送ロール対２６、及びモータ３０の構成について詳細に説明する。
【００３５】
図１に示されるように、記録用紙１８を搬送方向（矢印Ｂ）に搬送する第一搬送ロール対２８は、駆動力が伝達される第一駆動ロール２８Ａと、この第一駆動ロール２８Ａと従動回転する第一従動ロール２８Ｂとを備えている。第一駆動ロール２８Ａと第一従動ロール２８Ｂは、図示しないフレームに回転可能に軸支され、さらに、ロールの長手方向に二分割されている。このようにロールが二分割されることで、記録用紙１８は、その両端部が挟持されながら搬送される構成となっている。
【００３６】
第一搬送ロール対２８と共に記録用紙１８を搬送方向（矢印Ｂ）に搬送する第二搬送ロール対２６が、第一搬送ロール対２８の搬送方向下流側に設けられている。第一搬送ロール対２８同様に、第二搬送ロール対２６は、駆動力が伝達される第二駆動ロール２６Ａと、この第二駆動ロール２６Ａと従動回転する第二従動ロール２６Ｂとを備えている。第二駆動ロール２６Ａと第二従動ロール２６Ｂは、図示しないフレームに回転可能に軸支され、さらに、ロールの長手方向に二分割されている。このようにロールが二分割されることで、第一搬送ロール対２８同様に、記録用紙１８は、その両端部が挟持されながら搬送される構成となっている。
【００３７】
また、第一駆動ロール２８Ａの回転軸２８Ｃの一端部には、第一プーリー４８が設けられ、第二駆動ロール２６Ａの回転軸２６Ｃの一端部には、第二プーリー４６が設けられている。この第一プーリー４８、第二プーリー４６、及びモータ３０の回転軸３０Ａに設けられたモータプーリー３０Ｂには、駆動ベルト３２が巻き掛けられている。この構成により、モータ３０は、画像形成時に記録用紙１８を搬送方向に送る回転力を第一駆動ロール２８Ａ及び第二駆動ロール２６Ａに伝達する。なお、第一プーリー４８には、記録用紙１８を搬送方向に送る回転力（矢印Ｃ方向の回転力）を受けた場合のみ回転力を第一駆動ロール２８Ａに伝達する１方向クラッチが取付けられている。
【００３８】
一方、モータ３０の回転は、制御手段３１によって制御されている。この制御手段３１には、記録用紙１８が第二搬送ロール対２６に詰まった場合に紙詰まりを検知する検知センサ２５が設けられている。制御手段３１は所定のタイミングで記録用紙１８が検知センサ２５に検出されないと紙詰まりが発生したと判断する。
【００３９】
制御手段３１が紙詰まりと判断すると第二搬送ロール対２６を逆転させる構成となっている。なお、第一プーリー４８には１方向クラッチが取り付けられているため、第一搬送ロール２８は停止している。
【００４０】
次に、搬送装置１１の作用について説明する。
【００４１】
図１に示されるように、記録用紙１８に画像を形成する場合には、モータ３０はＥ方向に回転し、回転力を駆動ベルト３２に伝え、駆動ベルト３２はＦ方向に回転する。駆動ベルト３２がＦ方向に回転すると、第一プーリー４８及び第二プーリー４６は、Ｃ方向及びＧ方向に回転する。これにより第一駆動ロール２８Ａと第二駆動ロール２６Ａが回転し、第一従動ロール２８Ｂと第二従動ロール２６Ｂは、第一駆動ロール２８Ａと第二駆動ロール２６Ａの回転に伴い従動回転する。これにより、記録用紙１８は第一搬送ロール対２８及び第二搬送ロール対２６にニップされ搬送方向（矢印Ｂ方向）に搬送される。
【００４２】
検知センサ２５より制御手段３１が第二搬送ロール対２６での記録用紙１８の紙詰まりを判断すると、第二搬送ロール対２６を逆転させる。これにより、紙詰まりを起こした記録用紙１８が第一搬送ロール対２８と第二搬送ロール対２６の間に排出され、搬送ガイド１９の上へ落下する。落下した記録用紙１８は、図示しないハウジングの前面に設けられたメンテナンスドアを開放して取り除かれる。
【００４３】
このため、長尺物の記録用紙１８の先端が第二搬送ロール対２６に詰まった場合には、第二搬送ロール対２６を搬送方向に回転させて記録用紙１８を全て搬送方向に排出させることで記録用紙１８を除去する方法と比較すると、操作量は少ない。
【００４４】
従って、特に長尺物の記録用紙１８が第二搬送ロール対２６に詰まった場合に、少ない操作量で紙詰まりを起こした記録用紙１８を除去することができる。
【００４５】
次に第２実施形態に係る搬送装置１３を図３に従って説明する。
【００４６】
なお、第１実施形態と同一部材については、同一符号を付してその説明を省略する。
【００４７】
図３に示されるように、第二搬送ロール対２６を逆転させる手段として、前記第１実施形態とは違い、モータ３０とは別手段の手動で第二搬送ロール対を逆転させることができるジャミング処理手段としてのノブ４９が回転軸２６Ｃに取付けられている。
【００４８】
第２実施形態では、検知センサ２５より制御手段３１が第二搬送ロール対２６での記録用紙１８の紙詰まりを判断すると、第一搬送ロール対２８、第二搬送ロール対２６を停止させる。停止後、図示しないハウジングの前面に設けられたメンテナンスドアを開放し、ノブ４９をＰ方向に回す。これにより、第二搬送ロール対２６は逆転して紙詰まりを起こした記録用紙１８は第一搬送ロール対２８と第二搬送ロール対２６の間に排出され、搬送ガイド１９の上へ落下する。
【００４９】
このため、駆動手段を使用することなく、手動により紙詰まりを起こした記録用紙１８が確実に排出される。
【００５０】
次に第３実施形態に係る搬送装置１５を図４、５に従って説明する。
【００５１】
なお、第１実施形態と同一部材については、同一符号を付してその説明を省略する。
【００５２】
図４に示されるように、第二搬送ロール対２６を逆転させる手段として、前記第１実施形態とは違い、ジャミング処理手段としてフレームにノブ５０が回転可能に取付けられている。このノブ５０の回転軸５０Ａには、ベルトプーリー５２が取付けられ、ノブ５０と一体に回転する。このベルトプーリー５２には、独立ベルト５４の中央部が巻き掛けられており、また、独立ベルト５４の両端部は後述する滑車５８Ｂと第一ベルトプーリー６０に巻き掛けられている。そして、独立ベルト５４はベルトプーリー５２の回転力を受けて回転する構成となっている。
【００５３】
また、第二駆動ロール２６Ａの回転軸の他端部には、ギア５６が設けられ、このギア５６と噛合う段付きの第二ベルトプーリー５８は、図示しないフレームに回転可能に取付けられている。この第二ベルトプーリー５８は、ギア５６と噛合う従動ギア５８Ａと、独立ベルト５４が巻き掛けられる滑車５８Ｂとを備えており、独立ベルト５４の回転力をギア５６に伝達する。
【００５４】
さらに、第一駆動ロール２８Ａの回転軸２８Ｃの他端部には、第一ベルトプーリー６０が設けられ、ノブ５０の回転力は、独立ベルト５４を介して第一ベルトプーリー６０に伝達される。なお、第一ベルトプーリー６０には、記録用紙１８を搬送方向に送るに回転力（矢印Ｄ方向の回転力）を受けた場合のみ回転力を第一駆動ロール２８Ａに伝達する１方向クラッチが取付けられている。
【００５５】
また、図５（Ａ）に示されるように、第一搬送ロール対２８と第二搬送ロール対２６との間には、記録用紙１８の搬送経路２０を構成する上シュート部材６２と下シュート部材６４が設けられている。上シュート部材６２は、搬送経路２０に沿って形成された板部材であり、搬送経路２０の上方部に図示しないフレームに取付けられて配置されている。また、搬送経路２０の下方部には、板部材である下シュート部材６４が配置されており、下シュート部材６４の第二搬送ロール対２６側の一端部は図示しないフレームに回転可能に軸部６４Ａにて軸支されている。画像形成時に記録用紙１８が搬送方向に搬送される場合には、下シュート部材６４は、図示しない係止部材により自由端部が固定されて図２（Ａ）に示す搬送経路構成位置に配置される。さらに、点検等の場合には、下シュート部材６４は、図示しない係止部材を開放することで図２（Ｂ）に示す自由端部が下方に移動して開放位置となる。
【００５６】
次に、第３実施形態の作用について説明する。
【００５７】
図４に示されるように、記録用紙１８に画像を形成する場合には、モータ３０はＥ方向に回転し、回転力を駆動ベルト３２に伝え、駆動ベルト３２はＦ方向に回転する。駆動ベルト３２がＦ方向に回転すると、第一プーリー４８及び第二プーリー４６は、Ｃ方向及びＧ方向に回転する。これにより第一駆動ロール２８Ａと第二駆動ロール２６Ａが回転し、第一従動ロール２８Ｂと第二従動ロール２６Ｂは、第一駆動ロール２８Ａと第二駆動ロール２６Ａの回転に伴い従動回転する。これにより、記録用紙１８は、Ｂ方向に搬送される。
【００５８】
また、ノブ５０には、ギア５６及び独立ベルト５４を介してモータ３０の回転力が伝達され、ノブ５０はＨ方向と逆方向に回転する。なお、第一ベルトプーリー６０には１方向クラッチが取付けられているため、ノブ５０には第一ベルトプーリー６０からの回転力は伝達されない。
【００５９】
検知センサ２５より制御手段３１が、第一搬送ロール対２８と第二搬送ロール対２６の間で記録用紙１８の紙詰まりを判断すると、第一搬送ロール対２８、第二搬送ロール対２６を停止させる。停止後、図示しないハウジングの前面に設けられたメンテナンスドアを開放してノブ５０をＨ方向に回す。
【００６０】
ノブ５０をＨ方向に回すことで、ベルトプーリー５２を介して独立ベルト５４がＪ方向に回転する。独立ベルト５４がＪ方向に回転することで、第二駆動ロール２６Ａは、第二ベルトプーリー５８及びギア５６を介してＫ方向に回転する。つまり、第二駆動ロール２６Ａは、Ｋ方向に回転することで記録用紙１８を搬送方向と逆方向の逆搬送方向に排出する。
【００６１】
また、独立ベルト５４がＪ方向に回転することで、第一駆動ロール２８Ａは、第一ベルトプーリー６０を介してＬ方向に回転する。つまり、第二駆動ロール２８Ａは、Ｌ方向に回転することで記録用紙１８を搬送方向に排出する。
【００６２】
ここで、駆動ベルト３２には、第二プーリー４６を介してノブ５０の回転力が伝達され、駆動ベルト３２はＭ方向に回転する。なお、第一プーリー４８には、１方向クラッチが取付けられているため、駆動ベルト３２には、第一プーリー４８からの回転力は伝達されない。
【００６３】
図５（Ｂ）に示されるように、ノブ５０をＨ方向に回すことで、第一搬送ロール対２８と第二搬送ロール対２６の間に詰まった記録用紙１８は、第一搬送ロール対２８と第二搬送ロール対２６の間に排出される。ここで、下シュート部材６４を開放位置に移動させることで、排出された記録用紙１８は簡単に取り出される。
【００６４】
このため、第二搬送ロール対２６を搬送方向に回転させ長尺物の記録用紙１８を全て搬送方向に排出させることで記録用紙を除去する方法と比較すると、操作量は少ない。
【００６５】
従って、特に長尺物の記録用紙１８が第一搬送ロール対２８と第二搬送ロール対２６の間に詰まった場合に、少ない操作量で紙詰まりを起こした記録用紙１８を除去することができる。
【図面の簡単な説明】
【００６６】
【図１】本発明の第１実施形態に係る第一搬送ロール対及び第二搬送ロール対の周辺部品を示した斜視図である。
【図２】本発明の実施形態に係る画像形成装置の概略構成図である。
【図３】本発明の第２実施形態に係る第一搬送ロール対及び第二搬送ロール対の周辺部品を示した斜視図である。
【図４】本発明の第３実施形態に係る第一搬送ロール対及び第二搬送ロール対の周辺部品を示した斜視図である。
【図５】（Ａ）本発明の実施形態に係る第一搬送ロール対及び第二搬送ロール対をロールの軸方向から見た画像形成時の図面である。（Ｂ）本発明の実施形態に係る第一搬送ロール対及び第二搬送ロール対をロールの軸方向から見た紙詰まり除去時の図面である。
【符号の説明】
【００６７】
１１    搬送装置（第１実施形態）
１３    搬送装置（第２実施形態）
１５    搬送装置（第３実施形態）
１８    記録用紙
２６    第二搬送ロール対
２８    第一搬送ロール対
３０    モータ（搬送駆動手段）
３１    制御手段
４９    ノブ（第２実施形態）
５０    ノブ（第３実施形態）
５２    ベルトプーリー５２（回転伝達手段）
５４    独立ベルト５４（回転伝達手段）
【図１】
2007055780.tif 000003
【図２】
2007055780.tif 000004
【図３】
2007055780.tif 000005
【図４】
2007055780.tif 000006
【図５】
2007055780.tif 000007